(57)【特許請求の範囲】
【請求項１】
設備機器、サーバ及び情報処理端末を備える通信システムであって、
前記情報処理端末は、
前記設備機器と無線で通信する第１の端末通信部と、
前記サーバと通信する第２の端末通信部と、
前記第１の端末通信部を介して、前記設備機器から、前記設備機器を特定するための設備機器特定情報を取得し、前記第２の端末通信部を介して、前記設備機器特定情報を前記サーバに送り、前記サーバから前記設備機器を操作する許可を示す操作許可情報を取得する設備登録部と、
前記第１の端末通信部を介して、前記設備機器に前記操作許可情報及び前記設備機器の操作内容を示すコマンドを送る設備操作部と、を備え、
前記サーバは、
前記情報処理端末と通信するサーバ通信部と、
前記サーバ通信部を介して、前記設備機器特定情報を取得し、前記設備機器特定情報で特定される前記設備機器に対応する前記操作許可情報を、前記サーバ通信部を介して、前記情報処理端末に送るユーザ情報管理部と、を備え、
前記設備機器は、
前記情報処理端末と無線で通信する機器通信部と、
前記設備機器が備える機能を実行する機器本体と、
前記機器通信部を介して、前記設備機器特定情報を前記情報処理端末に送るとともに、前記機器通信部を介して、前記操作許可情報及び前記コマンドを取得して、前記操作許可情報の送信元と、前記コマンドの送信元とが同じ場合に、前記コマンドで示された操作内容に従って、前記機器本体を制御する制御部と、を備えること
を特徴とする通信システム。
【請求項２】
前記情報処理端末は、前記情報処理端末の位置を検出する位置検出部をさらに備え、
前記設備登録部は、前記設備機器特定情報を取得した際に前記位置検出部が検出した位置を示す設置位置情報を、前記第２の端末通信部を介して、前記サーバに送信し、
前記サーバは、
複数の宿泊施設の各々の位置を示す施設位置情報及び前記複数の宿泊施設の各々に関連する関連情報を記憶する記憶部と、
前記施設位置情報を参照することで、前記設置位置情報で示される前記位置に対応する宿泊施設を前記複数の宿泊施設から特定し、前記特定された宿泊施設の情報を、前記関連情報からサービス情報として抽出し、前記サーバ通信部を介して、前記サービス情報を前記情報処理端末に送るサービス配信部と、をさらに備え、
前記情報処理端末は、前記サービス情報を表示する表示部をさらに備えること
を特徴とする請求項１に記載の通信システム。
【請求項３】
前記関連情報には、前記複数の宿泊施設の各々において提供されるサービスに関する情報又は前記複数の宿泊施設の各々が属する地方において提供されるサービスに関する情報が含まれること
を特徴とする請求項２に記載の通信システム。
【請求項４】
前記情報処理端末は、
前記情報処理端末のユーザを特定するためのユーザ特定情報の入力を受け付ける入力部と、
前記情報処理端末の位置を検出する位置検出部と、をさらに備え、
前記設備登録部は、前記ユーザ特定情報を、前記第２の端末通信部を介して、前記サーバに送信するとともに、前記設備機器特定情報を取得した際に前記位置検出部が検出した位置を示す設置位置情報を、前記第２の端末通信部を介して、前記サーバに送信し、
前記サーバは、複数の宿泊施設の各々の位置を示す施設位置情報を記憶する記憶部をさらに備え、
前記ユーザ情報管理部は、前記サーバ通信部を介して、前記ユーザ特定情報及び前記設置位置情報を取得して、前記施設位置情報を参照することで、前記設置位置情報で示される前記位置に対応する宿泊施設を前記複数の宿泊施設から特定し、前記特定された宿泊施設を示す情報を宿泊履歴情報として前記ユーザ特定情報に対応付けて前記記憶部に記憶させること
を特徴とする請求項１に記載の通信システム。
【請求項５】
前記情報処理端末は、前記第２の端末通信部を介して、前記ユーザ特定情報を前記サーバに送るとともに、前記宿泊履歴情報を取得する情報取得コマンドを前記サーバに送る情報管理部をさらに備え、
前記サーバは、前記サーバ通信部を介して、前記ユーザ特定情報及び前記情報取得コマンドを取得し、前記情報取得コマンドの応答として、前記ユーザ特定情報に対応付けられている前記宿泊履歴情報を、前記サーバ通信部を介して、前記情報処理端末に送るサービス配信部をさらに備えること
を特徴とする請求項４に記載の通信システム。
【請求項６】
赤外線を用いた通信で操作することのできる赤外線機器をさらに備え、
前記入力部は、前記赤外線機器を特定するための赤外線機器特定情報の入力を受け付け、
前記情報処理端末は、
前記赤外線機器と赤外線を用いて通信する赤外線通信部と、
前記赤外線通信部を介して、前記赤外線機器特定情報で特定される前記赤外線機器に対応するコマンドを前記赤外線機器に送る赤外線機器操作部と、をさらに備え、
前記設備登録部は、前記ユーザ特定情報を、前記第２の端末通信部を介して、前記サーバに送信するとともに、前記入力部が前記赤外線機器特定情報の入力を受け付けた際に前記位置検出部が検出した位置を示す赤外線機器設置位置情報及び前記赤外線機器特定情報を、前記第２の端末通信部を介して、前記サーバに送信し、
前記ユーザ情報管理部は、前記サーバ通信部を介して、前記ユーザ特定情報、前記赤外線機器設置位置情報及び前記赤外線機器特定情報を取得して、前記施設位置情報を参照することで、前記赤外線機器設置位置情報で示される前記位置に対応する宿泊施設を前記複数の宿泊施設から特定し、前記特定された宿泊施設を示す情報及び前記赤外線機器特定情報を前記宿泊履歴情報として前記ユーザ特定情報に対応付けて前記記憶部に記憶させること
を特徴とする請求項４又は５に記載の通信システム。
【請求項７】
前記操作許可情報は、前記設備機器毎に異なる情報であること
を特徴とする請求項１から６の何れか一項に記載の通信システム。
【請求項８】
設備機器、前記設備機器を操作する操作端末、サーバ及び情報処理端末を備える通信システムであって、
前記情報処理端末は、
前記操作端末と無線で通信する第１の端末通信部と、
前記サーバと通信する第２の端末通信部と、
前記第１の端末通信部を介して、前記操作端末から、前記設備機器を特定するための設備機器特定情報を取得し、前記第２の端末通信部を介して、前記設備機器特定情報を前記サーバに送り、前記サーバから前記設備機器を操作する許可を示す操作許可情報を取得する設備登録部と、
前記第１の端末通信部を介して、前記操作端末に前記操作許可情報及び前記設備機器の操作内容を示すコマンドを送る設備操作部と、を備え、
前記サーバは、
前記情報処理端末と通信するサーバ通信部と、
前記サーバ通信部を介して、前記設備機器特定情報を取得し、前記設備機器特定情報で特定される前記設備機器に対応する前記操作許可情報を、前記サーバ通信部を介して、前記情報処理端末に送るユーザ情報管理部と、を備え、
前記操作端末は、
前記情報処理端末と無線で通信する操作端末通信部と、
前記操作端末通信部を介して、前記設備機器特定情報を前記情報処理端末に送るとともに、前記操作端末通信部を介して、前記操作許可情報及び前記コマンドを取得して、前記操作許可情報の送信元と、前記コマンドの送信元とが同じ場合に、前記コマンドで示された操作内容に従って、前記設備機器を制御する制御部と、を備えること
を特徴とする通信システム。
【請求項９】
設備機器、サーバ及び情報処理端末を備える通信システムであって、
前記情報処理端末は、
前記設備機器と第１の通信方式を用いて無線で通信する第１の端末通信部と、
前記設備機器と第２の通信方式を用いて無線で通信する第２の端末通信部と、
前記サーバと通信する第３の端末通信部と、
前記第１の端末通信部を介して、前記設備機器から、前記設備機器を特定するための設備機器特定情報を取得し、前記第３の端末通信部を介して、前記設備機器特定情報を前記サーバに送り、前記サーバから前記設備機器を操作する許可を示す操作許可情報を取得する設備登録部と、
前記第２の端末通信部を介して、前記設備機器に前記操作許可情報及び前記設備機器の操作内容を示すコマンドを送る設備操作部と、を備え、
前記サーバは、
前記情報処理端末と通信するサーバ通信部と、
前記サーバ通信部を介して、前記設備機器特定情報を取得し、前記設備機器特定情報で特定される前記設備機器に対応する前記操作許可情報を、前記サーバ通信部を介して、前記情報処理端末に送るユーザ情報管理部と、を備え、
前記設備機器は、
前記情報処理端末と前記第１の通信方式を用いて無線で通信する第１の機器通信部と、
前記情報処理端末と前記第２の通信方式を用いて無線で通信する第２の機器通信部と、
前記設備機器が備える機能を実行する機器本体と、
前記第１の機器通信部を介して、前記設備機器特定情報を前記情報処理端末に送るとともに、前記第２の機器通信部を介して、前記操作許可情報及び前記コマンドを取得して、前記操作許可情報の送信元と、前記コマンドの送信元とが同じ場合に、前記コマンドで示された操作内容に従って、前記機器本体を制御する制御部と、を備えること
を特徴とする通信システム。
【請求項１０】
前記第１の通信方式は、前記第２の通信方式よりも通信距離が短いこと
を特徴とする請求項９に記載の通信システム。
【発明の詳細な説明】
【技術分野】
【０００１】
本発明は、通信システムに関し、特に、設備機器の操作を行うことのできる通信システムに関する。
【背景技術】
【０００２】
ホテルに宿泊するユーザは、ホテルに設けられている空調機器等を、リモートコントローラを用いて操作する（例えば、特許文献１参照）。
【先行技術文献】
【特許文献】
【０００３】
【特許文献１】特開２０１４−０２０６６０号公報
【発明の概要】
【発明が解決しようとする課題】
【０００４】
しかしながら、従来のリモートコントローラは、機器毎に用意されているため、ホテルに宿泊するユーザは、操作する機器毎に別々のリモートコントローラを操作しなければならず、不便であった。【０００５】
そこで、本発明は、ユーザが保有する情報処理端末を用いて、施設におけるユーザの利便性を高めることを目的とする。
【課題を解決するための手段】
【０００６】
本発明の第１の態様に係る通信システムは、設備機器、サーバ及び情報処理端末を備える通信システムであって、前記情報処理端末は、前記設備機器と無線で通信する第１の端末通信部と、前記サーバと通信する第２の端末通信部と、前記第１の端末通信部を介して、前記設備機器から、前記設備機器を特定するための設備機器特定情報を取得し、前記第２の端末通信部を介して、前記設備機器特定情報を前記サーバに送り、前記サーバから前記設備機器を操作する許可を示す操作許可情報を取得する設備登録部と、前記第１の端末通信部を介して、前記設備機器に前記操作許可情報及び前記設備機器の操作内容を示すコマンドを送る設備操作部と、を備え、前記サーバは、前記情報処理端末と通信するサーバ通信部と、前記サーバ通信部を介して、前記設備機器特定情報を取得し、前記設備機器特定情報で特定される前記設備機器に対応する前記操作許可情報を、前記サーバ通信部を介して、前記情報処理端末に送るユーザ情報管理部と、を備え、前記設備機器は、前記情報処理端末と無線で通信する機器通信部と、前記設備機器が備える機能を実行する機器本体と、前記機器通信部を介して、前記設備機器特定情報を前記情報処理端末に送るとともに、前記機器通信部を介して、前記操作許可情報及び前記コマンドを取得して、前記操作許可情報の送信元と、前記コマンドの送信元とが同じ場合に、前記コマンドで示された操作内容に従って、前記機器本体を制御する制御部と、を備えることを特徴とする。
【０００７】
本発明の第２の態様に係る通信システムは、設備機器、前記設備機器を操作する操作端末、サーバ及び情報処理端末を備える通信システムであって、前記情報処理端末は、前記操作端末と無線で通信する第１の端末通信部と、前記サーバと通信する第２の端末通信部と、前記第１の端末通信部を介して、前記操作端末から、前記設備機器を特定するための設備機器特定情報を取得し、前記第２の端末通信部を介して、前記設備機器特定情報を前記サーバに送り、前記サーバから前記設備機器を操作する許可を示す操作許可情報を取得する設備登録部と、前記第１の端末通信部を介して、前記操作端末に前記操作許可情報及び前記設備機器の操作内容を示すコマンドを送る設備操作部と、を備え、前記サーバは、前記情報処理端末と通信するサーバ通信部と、前記サーバ通信部を介して、前記設備機器特定情報を取得し、前記設備機器特定情報で特定される前記設備機器に対応する前記操作許可情報を、前記サーバ通信部を介して、前記情報処理端末に送るユーザ情報管理部と、を備え、前記操作端末は、前記情報処理端末と無線で通信する操作端末通信部と、前記操作端末通信部を介して、前記設備機器特定情報を前記情報処理端末に送るとともに、前記操作端末通信部を介して、前記操作許可情報及び前記コマンドを取得して、前記操作許可情報の送信元と、前記コマンドの送信元とが同じ場合に、前記コマンドで示された操作内容に従って、前記設備機器を制御する制御部と、を備えることを特徴とする。
【０００８】
本発明の第３の態様に係る通信システムは、設備機器、サーバ及び情報処理端末を備える通信システムであって、前記情報処理端末は、前記設備機器と第１の通信方式を用いて無線で通信する第１の端末通信部と、前記設備機器と第２の通信方式を用いて無線で通信する第２の端末通信部と、前記サーバと通信する第３の端末通信部と、前記第１の端末通信部を介して、前記設備機器から、前記設備機器を特定するための設備機器特定情報を取得し、前記第３の端末通信部を介して、前記設備機器特定情報を前記サーバに送り、前記サーバから前記設備機器を操作する許可を示す操作許可情報を取得する設備登録部と、前記第２の端末通信部を介して、前記設備機器に前記操作許可情報及び前記設備機器の操作内容を示すコマンドを送る設備操作部と、を備え、前記サーバは、前記情報処理端末と通信するサーバ通信部と、前記サーバ通信部を介して、前記設備機器特定情報を取得し、前記設備機器特定情報で特定される前記設備機器に対応する前記操作許可情報を、前記サーバ通信部を介して、前記情報処理端末に送るユーザ情報管理部と、を備え、前記設備機器は、前記情報処理端末と前記第１の通信方式を用いて無線で通信する第１の機器通信部と、前記情報処理端末と前記第２の通信方式を用いて無線で通信する第２の機器通信部と、前記設備機器が備える機能を実行する機器本体と、前記第１の機器通信部を介して、前記設備機器特定情報を前記情報処理端末に送るとともに、前記第２の機器通信部を介して、前記操作許可情報及び前記コマンドを取得して、前記操作許可情報の送信元と、前記コマンドの送信元とが同じ場合に、前記コマンドで示された操作内容に従って、前記機器本体を制御する制御部と、を備えることを特徴とする。
【発明の効果】
【００１５】
本発明の一態様によれば、ユーザが保有する情報処理端末を用いて、施設におけるユーザの利便性を高めることができる。
【図面の簡単な説明】
【００１６】
【図１】実施の形態１に係る設備操作システムの構成を概略的に示すブロック図である。
【図２】実施の形態１における設備機器の構成を概略的に示すブロック図である。
【図３】（Ａ）及び（Ｂ）は、ハードウェア構成例を示すブロック図である。
【図４】実施の形態１における携帯端末の構成を概略的に示すブロック図である。
【図５】実施の形態１におけるサーバの構成を概略的に示すブロック図である。
【図６】実施の形態１における携帯端末から設備機器の登録を行う処理を示すフローチャートである。
【図７】実施の形態１において、携帯端末から設備機器を操作するときの動作を示すフローチャートである。
【図８】実施の形態１における操作及びサービス提供用の一覧画面画像の一例を示す概略図である。
【図９】実施の形態１における操作画面画像の一例を示す概略図である。
【図１０】実施の形態１において、携帯端末で各種情報サービスの提供を受ける際の動作を示すフローチャートである。
【図１１】実施の形態１において、サーバから取得した宿泊履歴情報の表示例を示す概略図である。
【図１２】実施の形態２に係る設備操作システムの構成を概略的に示すブロック図である。
【図１３】実施の形態２に係る操作端末の構成を概略的に示すブロック図である。
【図１４】実施の形態３における設備機器の構成を概略的に示すブロック図である。
【図１５】実施の形態３における携帯端末の構成を概略的に示すブロック図である。
【図１６】実施の形態４に係る設備操作システムの構成を概略的に示すブロック図である。
【図１７】実施の形態４における携帯端末の構成を概略的に示すブロック図である。
【図１８】実施の形態４において、携帯端末から赤外線機器の登録を行う処理を示すフローチャートである。
【発明を実施するための形態】
【００１７】
実施の形態１．
図１は、実施の形態１に係る通信システムとしての設備操作システム１００の構成を概略的に示すブロック図である。
設備操作システム１００は、設備機器１１０Ａ、１１０Ｂと、携帯端末１３０と、サーバ１５０とを備える。
設備機器１１０Ａ、１１０Ｂの各々を特に区別する必要がない場合には、設備機器１１０という。
【００１８】
設備機器１１０と、携帯端末１３０とは、無線で通信を行うことができるようにされており、携帯端末１３０と、サーバ１５０とは、インターネット等のネットワーク１０１を介して通信を行うことができるようにされている。
【００１９】
設備機器１１０は、宿泊施設内の客室に設置され、例えば、空調機器、照明機器、浴室給湯機器、テレビ、空気清浄器、加湿器又は音響機器等の機器である。各設備機器１１０は、専用に付属したリモートコントローラに加え、携帯端末１３０から操作可能にする。
【００２０】
図２は、設備機器１１０の構成を概略的に示すブロック図である。
設備機器１１０は、記憶部１１１と、機器通信部１１２と、機器本体１１３と、制御部１１４とを備える。
【００２１】
記憶部１１１は、設備機器１１０の処理に必要な情報を記憶する。
例えば、記憶部１１１は、機器種別情報１０及び機器ＩＤ１１を記憶する。
機器種別情報１０は、設備機器１１０の種別（例えば、空調機器、照明機器又は浴室給湯機器等）を示す情報である。
機器ＩＤ１１は、設備機器１１０を識別するための設備機器識別情報である。例えば、機器ＩＤ１１は、製造番号等の固有の番号である。
なお、機器種別情報１０及び機器ＩＤ１１は、設備機器１１０を特定するための設備機器特定情報である。
【００２２】
機器通信部１１２は、携帯端末１３０と無線で通信を行う。例えば、機器通信部１１２は、ＮＦＣ（Ｎｅａｒ  Ｆｉｅｌｄ  Ｃｏｍｍｕｎｉｃａｔｉｏｎ）又はＢＬＥ（Ｂｌｕｅｔｏｏｔｈ  Ｌｏｗ  Ｅｎｅｒｇｙ）等を用いた近距離無線で通信を行えばよい。なお、ＮＦＣは、ＢＬＥよりも通信距離が短い通信方式である。
機器本体１１３は、設備機器１１０が備える機能を実行する。例えば、設備機器１１０が空調機器であれば、機器本体１１３は空調機能を実行し、設備機器１１０が照明機器であれば、機器本体１１３は照明機能を実行し、設備機器１１０が浴室給湯機器であれば、機器本体１１３は浴室給湯機能を実行する。
【００２３】
制御部１１４は、設備機器１１０での処理を制御する。
例えば、制御部１１４は、携帯端末１３０からの要求に応じて、記憶部１１１に記憶されている機器種別情報１０及び機器ＩＤ１１を、機器通信部１１２を介して、携帯端末１３０に送る。
また、制御部１１４は、機器通信部１１２を介して、携帯端末１３０から送られてきた操作許可情報を取得した後に、機器通信部１１２を介して、携帯端末１３０からコマンドが送られてきた場合には、携帯端末１３０からのコマンドに従って、機器本体１１３を制御する。例えば、制御部１１４は、操作許可情報の送信元と、コマンドの送信元とが同じ場合に、そのコマンドに従って、機器本体１１３を制御する。なお、制御部１１４は、操作許可情報の送信元と、コマンドの送信元とが異なる場合には、そのコマンドを破棄し、そのコマンドに従った制御は行わない。
さらに、制御部１１４は、携帯端末１３０からの要求に応じて、設備機器１１０の運転状態を示す機器運転状態情報を、機器通信部１１２を介して、携帯端末１３０に送る。例えば、設備機器１１０が空調機器の場合は、運転又は停止といった電源状態、冷房又は暖房といった運転モード、設定温度、又は、室内温度等が、運転状態となる。また、設備機器１１０が照明機器の場合は、ＯＮ又はＯＦＦといった電源状態、又は、調光率等が運転状態となる。
【００２４】
以上に記載された制御部１１４の一部又は全部は、例えば、図３（Ａ）に示されているように、単一回路、複合回路、プログラム化したプロセッサ、並列プログラム化したプロセッサ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔｓ）又はＦＰＧＡ（Ｆｉｅｌｄ  Ｐｒｏｇｒａｍｍａｂｌｅ  Ｇａｔｅ  Ａｒｒａｙ）等の処理回路１０２で構成することもできる。
【００２５】
また、制御部１１４の一部又は全部は、例えば、図３（Ｂ）に示されているように、メモリ１０３と、メモリ１０３に格納されているプログラムを実行するＣＰＵ（Ｃｅｎｔｒａｌ  Ｐｒｏｃｅｓｓｉｎｇ  Ｕｎｉｔ）等のプロセッサ１０４とにより構成することができる。このようなプログラムは、ネットワークを通じて提供されてもよく、また、記録媒体に記録されて提供されてもよい。即ち、このようなプログラムは、例えば、プログラムプロダクトとして提供されてもよい。
なお、記憶部１１１は、例えば、不揮発性メモリにより構成することができる。
【００２６】
図４は、携帯端末１３０の構成を概略的に示すブロック図である。
携帯端末１３０は、記憶部１３１と、端末通信部１３２と、端末広域通信部１３３と、表示部１３４と、入力部１３５と、制御部１３６とを備える。
実施の形態１では、端末通信部１３２を第１の端末通信部ともいい、端末広域通信部１３３を第２の端末通信部ともいう。
【００２７】
記憶部１３１は、携帯端末１３０での処理に必要な情報を記憶する。
記憶部１３１は、機器接続情報２０と、機器運転状態情報３０と、ユーザ情報４０とを備える。
【００２８】
機器接続情報２０は、携帯端末１３０が接続した設備機器１１０に関する情報である。
機器接続情報２０は、機器種別情報２１と、機器ＩＤ２２と、設置位置情報２３とを含む。
機器種別情報２１は、携帯端末１３０が接続した設備機器１１０の種別を示す情報である。機器種別情報２１は、端末通信部１３２を介して、携帯端末１３０が設備機器１１０に要求することで、設備機器１１０から取得される。
【００２９】
機器ＩＤ２２は、携帯端末１３０が接続した設備機器１１０を識別するための設備機器識別情報である。機器ＩＤ２２は、端末通信部１３２を介して、携帯端末１３０が設備機器１１０に要求することで、設備機器１１０から取得される。
設置位置情報２３は、設備機器１１０が設置されている位置（経度及び緯度）を示す情報である。設置位置情報２３は、携帯端末１３０が設備機器１１０に接続した際に、制御部１３６が取得した情報である。
【００３０】
機器運転状態情報３０は、携帯端末１３０が接続した設備機器１１０の運転状態を示す情報である。機器運転状態情報３０は、端末通信部１３２を介して、携帯端末１３０が設備機器１１０に要求することで、設備機器１１０から取得される。機器運転状態情報３０は、設備機器１１０と接続している間、最新の状態に更新される。
【００３１】
ユーザ情報４０は、ユーザが使用する携帯端末１３０に関する情報である。
ユーザ情報４０は、端末ＩＤ４１と、操作許可情報４２と、サービス情報４３とを含む。
端末ＩＤ４１は、携帯端末１３０を識別するための携帯端末識別情報である。
操作許可情報４２は、設備機器１１０の操作が許可されたことを示す情報である。操作許可情報４２は、設備機器１１０毎に異なる情報であり、端末広域通信部１３３を介して、携帯端末１３０がサーバ１５０に要求することで、サーバ１５０から取得される。
サービス情報４３は、携帯端末１３０を使用するユーザに提供するサービスに関する情報である。サービス情報４３は、例えば、宿泊施設の割引クーポン又はイベント情報等である。サービス情報４３は、設置位置情報２３から判定された宿泊施設に基づいて、サーバ１５０から取得される情報である。
【００３２】
端末通信部１３２は、設備機器１１０と無線で通信を行う。例えば、端末通信部１３２は、ＮＦＣ又はＢＬＥ等を用いた近距離無線で通信を行えばよい。
端末広域通信部１３３は、ネットワーク１０１を介した通信を行う。例えば、端末広域通信部１３３は、ネットワーク１０１を介して、サーバ１５０と通信を行う。
【００３３】
表示部１３４は、各種画面を表示する。例えば、表示部１３４は、制御部１３６の制御のもと、設備機器１１０の監視及び操作を行うために各種画面を表示する。
入力部１３５は、ユーザからの操作の入力を受け付ける。ユーザが入力部１３５に操作を入力すると、入力した内容により、画面の切り換え又は設備機器１１０の操作等を行うことができる。
なお、表示部１３４及び入力部１３５は、タッチパネルにより構成することができ、入力部１３５は、ボタン等により構成することもできる。
【００３４】
制御部１３６は、携帯端末１３０での処理を制御する。
例えば、制御部１３６は、接続された設備機器１１０の運転状態を取得するとともに、設備機器毎に異なる操作画面を表示部１３４に表示させ、入力部１３５からの操作の入力に従って、設備機器１１０の運転状態を制御する。
制御部１３６は、設備登録部１３７と、設備操作部１３８と、位置検出部１３９と、情報管理部１４０とを備える。
【００３５】
設備登録部１３７は、端末通信部１３２を介して設備機器１１０と接続して、設備機器１１０から機器種別情報１０及び機器ＩＤ１１を取得して、機器種別情報２１及び機器ＩＤ２２として、記憶部１３１に記憶させる。また、設備登録部１３７は、端末広域通信部１３３を介してサーバ１５０に接続し、機器接続情報２０及び端末ＩＤ４１を送ることで、サーバ１５０に登録を行い、サーバ１５０から操作許可情報４２を取得する。
【００３６】
設備操作部１３８は、携帯端末１３０が接続した設備機器１１０の運転状態を制御する。例えば、設備操作部１３８は、端末通信部１３２を介して、操作許可情報４２及び設備機器１１０の操作内容を示すコマンドを、設備機器１１０に送る。
【００３７】
位置検出部１３９は、設備機器１１０を操作した場所の位置（経度及び緯度）を検出して、設置位置情報２３として記憶部１３１に記憶させる。例えば、位置検出部１３９は、設備登録部１３７が機器種別情報１０及び機器ＩＤ１１を取得した際に、携帯端末１３０の位置を検出する。このようにして検出された位置を示す設置位置情報は、設備登録部１３７により、端末広域通信部１３３を介して、サーバ１５０に送られる。
【００３８】
情報管理部１４０は、端末広域通信部１３３を介してサーバ１５０からサービス情報４３を取得して、記憶部１３１に記憶させる。また、情報管理部１４０は、サービス情報４３に基づいて、表示部１３４に各種情報を表示させる。
また、情報管理部１４０は、端末広域通信部１３３を介してサーバ１５０から宿泊履歴情報を取得して、表示部１３４に宿泊履歴を表示させる。
【００３９】
以上に記載された制御部１３６の一部又は全部は、例えば、図３（Ｂ）に示されているように、メモリ１０３と、メモリ１０３に格納されているプログラムを実行するＣＰＵ等のプロセッサ１０４とにより構成することができる。このようなプログラムは、ネットワークを通じて提供されてもよく、また、記録媒体に記録されて提供されてもよい。即ち、このようなプログラムは、例えば、プログラムプロダクトとして提供されてもよい。
なお、記憶部１３１は、例えば、不揮発性メモリにより構成することができる。
【００４０】
また、制御部１３６の一部は、例えば、図３（Ａ）に示されているように、単一回路、複合回路、プログラム化したプロセッサ、並列プログラム化したプロセッサ、ＡＳＩＣ又はＦＰＧＡ等の処理回路１０２で構成することもできる。
【００４１】
図５は、サーバ１５０の構成を概略的に示すブロック図である。
サーバ１５０は、記憶部１５１と、サーバ広域通信部１５２と、制御部１５３とを備える。
【００４２】
記憶部１５１は、サーバ１５０での処理に必要な情報を記憶する。
記憶部１５１は、ユーザ登録情報５０と、施設登録情報６０とを記憶する。
ユーザ登録情報５０は、携帯端末１３０を使用するユーザから登録された情報である。
【００４３】
ユーザ登録情報５０は、ログイン情報５１と、宿泊履歴情報５２と、端末ＩＤ５３と、操作可能機器情報５４とを含む。
ログイン情報５１は、携帯端末１３０のユーザがログインするための情報である。例えば、ログイン情報５１は、携帯端末１３０のユーザの認証用のユーザ名及びパスワードを含む。ここで、ログイン情報５１は、携帯端末１３０のユーザを特定するためのユーザ特定情報として使用される。
宿泊履歴情報５２は、携帯端末１３０のユーザが宿泊した日付及び宿泊施設の履歴を示す情報である。宿泊施設は、位置情報であっても、位置情報を含んでいてもよい。
また、宿泊履歴情報５２は、ユーザ毎の情報であるものとする。例えば、宿泊履歴情報５２は、ログイン情報５１として用いられているユーザ名及びパスワードに対応付けられているものとする。
【００４４】
端末ＩＤ５３は、設備機器１１０を使用するために登録を行ったユーザが使用する携帯端末１３０の携帯端末識別情報である。
操作可能機器情報５４は、携帯端末１３０のユーザが登録した設備機器１１０の機器種別情報２１、機器ＩＤ２２及び設置位置情報２３を含み、端末ＩＤ５３と関連付けられている。
【００４５】
施設登録情報６０は、宿泊施設からのサービスを配信するために必要な情報である。
施設登録情報６０は、施設位置情報６１と、提携サービス情報６２と、スタンプ画像情報６３とを含む。
【００４６】
施設位置情報６１は、複数の宿泊施設の各々の位置（緯度及び経度）を表す情報である。施設位置情報６１は、複数の宿泊施設から、設置位置情報２３で示される位置に対応する宿泊施設を特定するために用いられる。
【００４７】
提携サービス情報６２は、宿泊施設内のレストランで利用可能な割引クーポン又は各種イベント情報等、宿泊施設に宿泊したユーザに提供するサービスを示す情報である。提携サービス情報６２は、宿泊施設が適宜登録する。即ち、提携サービス情報６２は、宿泊施設において提供されるサービスに関する情報又は宿泊施設が属する地方において提供されるサービスに関する情報である。
スタンプ画像情報６３は、ユーザが宿泊した宿泊施設又はユーザが宿泊した宿泊施設が所在する地域のスタンプ画像を示す情報である。スタンプ画像情報６３は、収集する楽しみを付加することで、まだ宿泊していない地域への旅行意欲を高めるために用いられる。
なお、提携サービス情報６２及びスタンプ画像情報６３は、宿泊施設に関連する関連情報である。
【００４８】
サーバ広域通信部１５２は、ネットワーク１０１を介した通信を行うサーバ通信部である。例えば、サーバ広域通信部１５２は、ネットワーク１０１を介して、携帯端末１３０と通信を行う。
【００４９】
制御部１５３は、サーバ１５０での処理を制御する。
例えば、制御部１５３は、ユーザ登録情報５０及び施設登録情報６０等の管理を行う。
制御部１５３は、ユーザ情報管理部１５４と、施設情報管理部１５５と、サービス配信部１５６とを備える。
【００５０】
ユーザ情報管理部１５４は、ユーザ登録情報５０の管理を行う。例えば、ユーザ情報管理部１５４は、サーバ広域通信部１５２を介して、携帯端末１３０からのログインを受け付けて、ログインされたユーザの携帯端末１３０の端末ＩＤ５３を取得して、記憶部１５１に記憶させる。
また、ユーザ情報管理部１５４は、サーバ広域通信部１５２を介して、ログインされたユーザが使用する携帯端末１３０から、機器種別情報２１、機器ＩＤ２２及び設置位置情報２３を取得する。そして、ユーザ情報管理部１５４は、機器ＩＤ２２で示されている設備機器１１０の操作許可情報を生成して、サーバ広域通信部１５２を介して、それを携帯端末１３０に送る。さらに、ユーザ情報管理部１５４は、取得された機器種別情報２１、機器ＩＤ２２及び設置位置情報２３を操作可能機器情報５４として記憶部１５１に記憶させる。
【００５１】
また、ユーザ情報管理部１５４は、記憶部１５１に記憶されている施設位置情報６１を参照することで、取得された設置位置情報２３からユーザが宿泊している宿泊施設を特定し、特定された宿泊施設を示す情報及び現在の日付を示す情報を、対応するユーザの宿泊履歴情報５２に格納する。
【００５２】
施設情報管理部１５５は、施設登録情報６０の管理を行う。例えば、施設情報管理部１５５は、サーバ広域通信部１５２を介して、宿泊施設からの申請に応じて、施設位置情報６１、提携サービス情報６２又はスタンプ画像情報６３の登録、変更又は削除を可能とする。
【００５３】
サービス配信部１５６は、携帯端末１３０のユーザが宿泊した宿泊施設又はその地域の提携サービス情報６２又はスタンプ画像情報６３を、サーバ広域通信部１５２を介して携帯端末１３０に配信する。
例えば、サービス配信部１５６は、施設位置情報６１を参照することで、設置位置情報で示される位置に対応する宿泊施設を特定し、特定された宿泊施設の情報（サービス情報）を提携サービス情報６２又はスタンプ画像情報６３から抽出する。そして、サービス配信部１５６は、サーバ広域通信部１５２を介して、抽出されたサービス情報を携帯端末１３０に送る。なお、このようなサービス情報は、携帯端末１３０の表示部１３４に表示される。
【００５４】
なお、サービス配信部１５６は、宿泊時だけでなく、継続的に配信を行うことで、携帯端末１３０の利用者に対応するアプリケーションの利用を促す。このため、携帯端末１３０の設備登録部１３７は、設備機器１１０の登録時ばかりでなく、定期的に、位置検出部１３９で検出された位置を示す設置位置情報を、サーバ１５０に送ることが望ましい。
【００５５】
以上に記載された制御部１５３の一部又は全部は、例えば、図３（Ｂ）に示されているように、メモリ１０３と、メモリ１０３に格納されているプログラムを実行するＣＰＵ等のプロセッサ１０４とにより構成することができる。このようなプログラムは、ネットワークを通じて提供されてもよく、また、記録媒体に記録されて提供されてもよい。即ち、このようなプログラムは、例えば、プログラムプロダクトとして提供されてもよい。
なお、記憶部１５１は、例えば、不揮発性メモリ又はＨＤＤ（Ｈａｒｄ  Ｄｉｓｃ  Ｄｒｉｖｅ）等の記憶装置により構成することができる。
【００５６】
また、制御部１５３の一部は、例えば、図３（Ａ）に示されているように、単一回路、複合回路、プログラム化したプロセッサ、並列プログラム化したプロセッサ、ＡＳＩＣ又はＦＰＧＡ等の処理回路１０２で構成することもできる。
【００５７】
次に、ユーザが設備機器１１０を操作するときの動作について説明する。
図６は、携帯端末１３０から設備機器１１０の登録を行う処理を示すフローチャートである。
【００５８】
携帯端末１３０は、入力部１３５を介して、ユーザから予めインストールされた登録用のアプリケーションの起動指示を受けると、その専用アプリケーションを起動する（Ｓ１０）。登録用のアプリケーションの起動により、携帯端末１３０では、設備登録部１３７、設備操作部１３８、位置検出部１３９及び情報管理部１４０による処理が開始される。
【００５９】
設備登録部１３７は、端末広域通信部１３３を介して、サーバ１５０に接続し、ユーザのログインを行う（Ｓ１１）。例えば、設備登録部１３７は、サーバ１５０に接続すると、サーバ１５０からログイン画面画像を示すログイン画面画像データを取得する。そして、設備登録部１３７は、ログイン画面画像データに基づいて、ログイン画面画像を表示部１３４に表示して、入力部１３５を介して、ユーザからログイン情報（ユーザ名及びパスワード）の入力を受け付ける。そして、設備登録部１３７は、入力されたログイン情報を、端末広域通信部１３３を介して、サーバ１５０に送る。サーバ１５０は、サーバ広域通信部１５２を介して受信したログイン情報を、記憶部１５１に記憶されているログイン情報５１と比較することで、ログインの成否を判断する。ここでは、ログインが成功したものとして説明を続ける。なお、ログインに失敗した場合には、図６に示されているフローは終了する。この場合、ユーザは、ステップＳ１０から処理をやり直せばよい。
【００６０】
ログインに成功し、ユーザが携帯端末１３０を設備機器１１０に近づけることで、設備登録部１３７は、端末通信部１３２を介して、設備機器１１０とＮＦＣ又はＢＬＥ等の近距離無線による通信を行い、設備機器１１０と接続する（Ｓ１２）。
【００６１】
次に、設備登録部１３７は、設備機器情報のモニタ要求（取得要求ともいう）を、端末通信部１３２を介して設備機器１１０に送信する。これに対して、設備機器１１０は、機器種別情報１０及び機器ＩＤ１１を応答する。設備登録部１３７は、機器種別情報１０及び機器ＩＤ１１を、端末通信部１３２を介して取得し、これらに加え、位置検出部１３９が、現在の位置情報を、携帯端末１３０に備えられている図示しないＧＰＳ受信機から取得し、機器種別情報１０、機器ＩＤ１１及び取得された位置情報を、それぞれ機器種別情報２１、機器ＩＤ２２及び設置位置情報２３として、記憶部１３１内の機器接続情報２０に格納する（Ｓ１３）。
【００６２】
次に、設備登録部１３７は、機器種別情報２１、機器ＩＤ２２及び設置位置情報２３と、端末ＩＤ４１とを、端末広域通信部１３３を介してサーバ１５０に送信する（Ｓ１４）。
【００６３】
次に、サーバ１５０は、サーバ広域通信部１５２を介して、携帯端末１３０から機器種別情報２１、機器ＩＤ２２及び設置位置情報２３と、端末ＩＤ４１とを受信する。サーバ１５０のユーザ情報管理部１５４は、受信された端末ＩＤ４１を、記憶部１５１のユーザ登録情報５０内の端末ＩＤ５３として記憶するとともに、記憶された端末ＩＤ５３に対応付けて、受信された機器種別情報２１及び機器ＩＤ２２を操作可能機器情報５４として、記憶部１５１のユーザ登録情報５０内に記憶する。さらに、ユーザ情報管理部１５４は、記憶部１５１に記憶されている施設登録情報６０内の施設位置情報６１を参照することで、受信された設置位置情報２３で示されている位置に対応する宿泊施設を特定し、現在の日付とともに、宿泊情報としてステップＳ１１でログインしたユーザの宿泊履歴情報５２に格納する（Ｓ１５）。
【００６４】
次に、ユーザ情報管理部１５４は、受信された機器種別情報２１及び機器ＩＤ２２に応じて、設備機器１１０の操作許可情報を生成し、サーバ広域通信部１５２を介して、携帯端末１３０に送信する。携帯端末１３０の設備登録部１３７は、受信された操作許可情報を、記憶部１３１のユーザ情報４０内に、操作許可情報４２として記憶する（Ｓ１６）。
【００６５】
以上の手順にて、ユーザは、携帯端末１３０を介して、操作可能な設備機器１１０をネットワーク１０１に接続されたサーバ１５０に登録し、携帯端末１３０から設備機器１１０を操作することが可能となる。
【００６６】
図７は、携帯端末１３０から設備機器１１０を操作するときの動作を示すフローチャートである。
携帯端末１３０は、入力部１３５を介して、ユーザから予めインストールされた操作及びサービス提供用のアプリケーションの起動指示を受けると、その専用アプリケーションを起動する（Ｓ２０）。操作及びサービス提供用のアプリケーションの起動により、携帯端末１３０では、設備登録部１３７、設備操作部１３８、位置検出部１３９及び情報管理部１４０による処理が開始される。これにより、表示部１３４には、操作及びサービス提供用の一覧画面画像が表示される。
【００６７】
図８は、操作及びサービス提供用の一覧画面画像の一例を示す概略図である。
一覧画面画像ＩＭ１は、機器操作選択欄ＡＲ１と、情報サービス選択欄ＡＲ２とを備える。
ユーザは、機器操作選択欄ＡＲ１に表示されている何れかの設備機器１１０を選択することで、選択された設備機器１１０を操作することができる。
例えば、ユーザが「エアコン」と表示された領域ＡＲ３にタッチすることで、その領域ＡＲ３の実行指示を入力すると、図９に示されているような操作画面画像ＩＭ２が表示部１３４に表示される。操作画面画像ＩＭ２ではエアコンの温度を変更することができるようにされている。
なお、機器操作選択欄ＡＲ１には、携帯端末１３０が操作許可情報４２を取得した設備機器１１０の種別名が表示されるものとする。
【００６８】
操作及びサービス提供用の一覧画面画像を介して、入力部１３５が、操作する設備機器１１０の選択を受け付けると（Ｓ２１）、設備操作部１３８は、端末通信部１３２を介して、選択された設備機器１１０とＮＦＣ又はＢＬＥ等の近距離無線による通信を行い、設備機器１１０と接続する（Ｓ２２）。
【００６９】
次に、設備操作部１３８は、ユーザ情報４０内の操作許可情報４２を、端末通信部１３２を介して設備機器１１０に送信する（Ｓ２３）。
【００７０】
次に、設備操作部１３８は、操作画面画像を介して、入力部１３５から入力された操作内容に従い、コマンドを生成し、端末通信部１３２を介して、生成されたコマンドを設備機器１１０に送信する（Ｓ２４）。
設備機器１１０の制御部１１４は、受信されたコマンドで示される操作内容に従って、機器本体１１３を制御する（Ｓ２５）。例えば、制御部１１４は、操作許可情報４２の送信元と、コマンドの送信元とを確認し、これらの送信元が一致する場合に、受信されたコマンドで示される操作内容に従って、機器本体１１３を制御する。
【００７１】
以上の手順にて、携帯端末１３０から客室内の設備機器１１０への操作が可能となる。
なお、図７に示されているフローチャートでは、設備機器１１０を操作するタイミングで、設備機器１１０に操作許可情報４２を送信しているが（Ｓ２３）、実施の形態１は、このような例に限定されない。操作許可情報４２を設備機器１１０に送信するタイミングは、設備機器１１０を操作する前であればよく、例えば、サーバ１５０から操作許可情報４２を受け取ったタイミング等で、それを送信してもよい。
【００７２】
図１０は、携帯端末１３０で各種情報サービスの提供を受ける際の動作を示すフローチャートである。
携帯端末１３０は、入力部１３５を介して、ユーザから予めインストールされた操作及びサービス提供用のアプリケーションの起動指示を受けると、その専用アプリケーションを起動する（Ｓ３０）。操作及びサービス提供用のアプリケーションの起動により、表示部１３４には、図８に示されているような一覧画面画像ＩＭ１が表示される。
【００７３】
操作及びサービス提供用の一覧画面画像を介して、入力部１３５が、提供を受けるサービスを選択する操作の入力を受け付けると（Ｓ３１）、情報管理部１４０は、端末広域通信部１３３を介して、サーバ１５０と接続し、ユーザのログインを行う（Ｓ３２）。例えば、情報管理部１４０は、サーバ１５０に接続すると、サーバ１５０からログイン画面画像を示すログイン画面画像データを取得する。そして、情報管理部１４０は、ログイン画面画像データに基づいて、ログイン画面画像を表示部１３４に表示して、入力部１３５を介して、ユーザからログイン情報（ユーザ名及びパスワード）の入力を受け付ける。そして、情報管理部１４０は、入力されたログイン情報を、端末広域通信部１３３を介して、サーバ１５０に送る。サーバ１５０は、サーバ広域通信部１５２を介して受信したログイン情報を、記憶部１５１に記憶されているログイン情報５１と比較することで、ログインの成否を判断する。ここでは、ログインが成功したものとして説明を続ける。なお、ログインに失敗した場合には、図１０に示されているフローは終了する。この場合、ユーザは、ステップＳ３０から処理をやり直せばよい。
【００７４】
ログインに成功すると、情報管理部１４０は、端末広域通信部１３３を介して、選択されたサービスに関する情報の取得コマンド（情報取得コマンド）を送信する（Ｓ３３）。
【００７５】
次に、情報管理部１４０は、ステップＳ３３で送信したコマンドの応答として、端末広域通信部１３３を介して、サーバ１５０からの情報を受け取り、表示部１３４に取得された情報を表示させる（Ｓ３４）。
例えば、図８に示されている一覧画面画像ＩＭ１において、ユーザが「お得な情報」と表示された領域ＡＲ４をタッチすることで、その領域ＡＲ４の実行指示を入力すると、ログインしたユーザが宿泊している宿泊施設に対応付けられている提携サービス情報６２、例えば、宿泊先が登録可能なレストラン等の割引クーポン又は宿泊先の各種イベント情報等が、サーバ１５０から送られてくる。また、図８に示されている一覧画面画像ＩＭ１において、ユーザが「宿泊履歴」と表示された領域ＡＲ５をタッチすることで、その領域ＡＲ５の実行指示を入力すると、ログインしたユーザに対応する宿泊履歴情報５２が、サーバ１５０から送られてくる。
【００７６】
図１１は、サーバ１５０から取得した宿泊履歴情報５２の表示例を示す概略図である。
図１１に示されている宿泊履歴表示画面画像ＩＭ３では、ログインしたユーザが過去に宿泊した宿泊施設の所在地が都道府県別に表示されている。これにより、ユーザは、達成感を味わうことができる。
【００７７】
なお、以上に記載された実施の形態１では、設備機器１１０の操作に携帯端末１３０を利用しているが、必ずしも携帯型の端末である必要はない。例えば、携帯端末１３０は、スマートフォン又はタブレットの他、パソコンであってもよい。即ち、携帯端末１３０は、情報処理端末であればよい。
【００７８】
また、この実施の形態１では、携帯端末１３０にインストールされたアプリケーションを起動して設備機器１１０の操作を行っているが、必ずしも携帯端末１３０内のアプリケーションを使う必要はない。例えば、サーバ１５０内に格納したＷｅｂコンテンツを携帯端末１３０のブラウザで開いて設備機器１１０の操作を行ってもよい。
【００７９】
また、この実施の形態１では、サーバ１５０に接続されているネットワーク１０１は、インターネットを想定しているが、ネットワーク１０１は、ＬＡＮ（Ｌｏｃａｌ  Ａｒｅａ  Ｎｅｔｗｏｒｋ）であってもよい。
【００８０】
以上詳細に説明したように、この実施の形態１に係る携帯端末１３０及びサーバ１５０によれば、携帯端末１３０が取得した設備機器１１０の機器種別情報１０及び機器ＩＤ１１から、サーバ１５０が操作許可情報４２を生成し、携帯端末１３０に返信することで、不正な接続を防止するとともに、宿泊先の複数の種類の設備機器１１０の操作をユーザ保有の携帯端末１３０から行うことができるようになる。
【００８１】
なお、設備機器１１０の記憶部１１１に操作許可情報４２の真贋を見分けるための真贋判別情報を記憶させておくことで、制御部１１４が、送られてきた操作許可情報の真贋を判別するようにしてもよい。このようにすることで、不正な接続をより確実に防止することができる。
【００８２】
また、この実施の形態１に係る携帯端末１３０及びサーバ１５０によれば、携帯端末１３０から設備機器１１０の操作を登録する際に、設置位置情報２３を送信することにより、宿泊場所を特定することができ、宿泊先のクーポンの配信又は宿泊履歴等の各種情報サービスを受けることが可能となる。
【００８３】
また、この実施の形態１に係る携帯端末１３０及びサーバ１５０によれば、携帯端末１３０を宿泊施設内のＬＡＮ等に接続する必要が無いため、宿泊施設のネットワーク環境を考慮せずに、容易にインターネットを活用したシステムを構築することができる。
【００８４】
また、この実施の形態１に係る携帯端末１３０及びサーバ１５０によれば、操作許可情報４２は、携帯端末１３０内に保持されるため、設備機器１１０の登録の時のみネットワーク１０１と接続できればよく、通信費用を気にすることなく、設備機器１１０の操作が可能となる。
【００８５】
また、この実施の形態１に係る携帯端末１３０及びサーバ１５０によれば、設備機器１１０の登録の際に、１０ｃｍ程度の距離でしか通信ができないＮＦＣを利用することで、設備機器１１０を客室外からの登録し、不正に接続することを防ぐことが可能である。
【００８６】
また、この実施の形態１に係る携帯端末１３０及びサーバ１５０によれば、サーバ１５０内に、設備機器１１０の設置位置情報２３と、客室内に設置されている設備機器の情報（機器種別情報２１及び機器ＩＤ２２）とを保持することにより、設備機器１１０の設置場所又は個々のＳ／Ｗバージョン等を把握することができ、保守サービス又はリニューアル時の提案等に活用することが可能となる。
【００８７】
また、この実施の形態１に係る携帯端末１３０及びサーバ１５０によれば、宿泊施設のクーポン情報又はイベント情報等をユーザ自身が取得しに行くため、クーポン券の発行又は定期的なメール配信等を行う必要がなく、広告にかける費用を削減することができる。
【００８８】
実施の形態２．
また、この実施の形態１では、設備機器１１０に携帯端末１３０から操作を行う構成としたが、必ずしも携帯端末１３０が直接設備機器１１０と通信する必要はない。
図１２は、実施の形態２に係る通信システムとしての設備操作システム２００の構成を概略的に示すブロック図である。
設備操作システム２００は、設備機器２１０Ａ、２１０Ｂと、携帯端末２３０と、サーバ１５０と、操作端末２６０Ａ、２６０Ｂとを備える。
実施の形態２に係る設備操作システム２００のサーバ１５０は、実施の形態１と同様に構成されている。
設備機器２１０Ａ、２１０Ｂの各々を特に区別する必要がない場合には、設備機器２１０という。
また、操作端末２６０Ａ、２６０Ｂの各々を特に区別する必要がない場合には、操作端末２６０という。
【００８９】
実施の形態２に係る設備操作システム２００では、設備機器２１０が操作端末２６０と接続されており、携帯端末２３０が操作端末２６０を介して、設備機器２１０を操作する。
【００９０】
図２に示されているように、実施の形態２における設備機器２１０は、記憶部１１１と、機器通信部２１２と、機器本体１１３と、制御部２１４とを備える。
実施の形態２における設備機器２１０の記憶部１１１及び機器本体１１３は、実施の形態１と同様に構成されている。
【００９１】
機器通信部２１２は、操作端末２６０と通信を行う。ここでは、機器通信部２１２は、有線又は無線で操作端末２６０と通信を行う。
【００９２】
制御部２１４は、設備機器２１０での処理を制御する。
例えば、制御部２１４は、操作端末２６０からの要求に応じて、記憶部１１１に記憶されている機器種別情報１０及び機器ＩＤ１１を、機器通信部２１２を介して、操作端末２６０に送る。
制御部２１４は、操作端末２６０から送られてきたコマンドに従って、機器本体１１３を制御する。
さらに、制御部２１４は、操作端末２６０からの要求に応じて、設備機器２１０の運転状態を示す機器運転状態情報を、機器通信部２１２を介して、携帯端末１３０に送る。
【００９３】
図４に示されているように、実施の形態２における携帯端末２３０は、記憶部１３１と、端末通信部２３２と、端末広域通信部１３３と、表示部１３４と、入力部１３５と、制御部２３６とを備える。
実施の形態２における携帯端末２３０は、端末通信部２３２及び制御部２３６を除いて、実施の形態１における携帯端末１３０と同様に構成されている。
なお、実施の形態２では、端末通信部２３２を第１の端末通信部ともいい、端末広域通信部１３３を第２の端末通信部ともいう。
【００９４】
端末通信部２３２は、操作端末２６０と無線で通信を行う。例えば、端末通信部２３２は、ＮＦＣ又はＢＬＥ等を用いた近距離無線で通信を行えばよい。
【００９５】
制御部２３６は、携帯端末２３０での処理を制御する。
制御部２３６は、設備登録部２３７と、設備操作部２３８と、位置検出部１３９と、情報管理部１４０とを備える。
実施の形態２における制御部２３６は、設備登録部２３７及び設備操作部２３８を除いて、実施の形態１における制御部１３６と同様に構成されている。
【００９６】
設備登録部２３７は、端末通信部２３２を介して操作端末２６０と接続して、操作端末２６０から機器種別情報１０及び機器ＩＤ１１を取得して、機器種別情報２１及び機器ＩＤ２２として、記憶部１３１に記憶させる。また、設備登録部２３７は、端末広域通信部１３３を介してサーバ１５０に接続し、機器接続情報２０及び端末ＩＤ４１を送ることで、サーバ１５０に登録を行い、サーバ１５０から操作許可情報４２を取得する。
【００９７】
設備操作部２３８は、端末通信部２３２を介して、操作許可情報４２及びコマンドを操作端末２６０に送信することで、設備機器２１０を操作する。
【００９８】
図１３は、操作端末２６０の構成を概略的に示すブロック図である。
操作端末２６０は、記憶部２６１と、操作端末通信部２６２と、制御用通信部２６３と、制御部２６４とを備える。
【００９９】
記憶部２６１は、操作端末２６０の処理に必要な情報を記憶する。
例えば、記憶部２６１は、制御用通信部２６３を介して取得された機器種別情報１０、機器ＩＤ１１及び運転状態情報を一時的に記憶する。
【０１００】
操作端末通信部２６２は、携帯端末２３０と無線で通信を行う。例えば、操作端末通信部２６２は、ＮＦＣ又はＢＬＥ等を用いた近距離無線で通信を行えばよい。
制御用通信部２６３は、設備機器２１０と無線又は有線で通信を行う。
【０１０１】
制御部２６４は、操作端末２６０での処理を制御する。
例えば、制御部２６４は、携帯端末２３０からの要求に応じて、制御用通信部２６３を介して、設備機器２１０に要求することで、設備機器２１０から機器種別情報１０及び機器ＩＤ１１を取得して、これらを一時的に記憶部２６１に記憶させる。そして、制御部２６４は、記憶部２６１に記憶されている機器種別情報１０及び機器ＩＤ１１を、操作端末通信部２６２を介して、携帯端末２３０に送る。
また、制御部２６４は、携帯端末２３０から操作許可情報が送られてきた後に、携帯端末２３０からコマンドが送られてきた場合には、そのコマンドを、制御用通信部２６３から設備機器２１０に送る。例えば、制御部２６４は、操作許可情報の送信元と、コマンドの送信元とが同じ場合に、そのコマンドを設備機器２１０に送る。
【０１０２】
さらに、制御部２６４は、携帯端末２３０からの要求に応じて、制御用通信部２６３を介して、設備機器２１０に要求することで、設備機器２１０から機器運転状態情報を取得して、これを一時的に記憶部２６１に記憶させる。そして、制御部２６４は、記憶部２６１に記憶されている機器運転状態情報を、操作端末通信部２６２を介して、携帯端末２３０に送る。
【０１０３】
以上に記載された制御部２６４の一部又は全部は、例えば、図３（Ａ）に示されているように、単一回路、複合回路、プログラム化したプロセッサ、並列プログラム化したプロセッサ、ＡＳＩＣ又はＦＰＧＡ等の処理回路１０２で構成することもできる。
【０１０４】
また、制御部２６４の一部又は全部は、例えば、図３（Ｂ）に示されているように、メモリ１０３と、メモリ１０３に格納されているプログラムを実行するＣＰＵ等のプロセッサ１０４とにより構成することができる。このようなプログラムは、ネットワークを通じて提供されてもよく、また、記録媒体に記録されて提供されてもよい。即ち、このようなプログラムは、例えば、プログラムプロダクトとして提供されてもよい。
なお、記憶部２６１は、例えば、不揮発性メモリにより構成することができる。
【０１０５】
以上のように、実施の形態２によれば、携帯端末２３０が、操作端末２６０を介して、設備機器２１０を操作することができる。
【０１０６】
実施の形態３．
実施の形態１では、携帯端末１３０と設備機器１１０との間の通信は、１つの通信方式が使用されているが、複数の通信方式が使用されてもよい。
【０１０７】
図１に示されているように、実施の形態３に係る通信システムとしての設備操作システム３００は、設備機器３１０Ａ、３１０Ｂと、携帯端末３３０と、サーバ１５０とを備える。
実施の形態３に係る設備操作システム３００のサーバ１５０は、実施の形態１と同様に構成されている。
なお、設備機器３１０Ａ、３１０Ｂの各々を特に区別する必要がない場合には、設備機器３１０という。
【０１０８】
図１４は、実施の形態３における設備機器３１０の構成を概略的に示すブロック図である。
設備機器３１０は、記憶部１１１と、第１の機器通信部３１２Ａと、第２の機器通信部３１２Ｂと、機器本体１１３と、制御部３１４とを備える。
実施の形態３における設備機器３１０は、第１の機器通信部３１２Ａ、第２の機器通信部３１２Ｂ及び制御部３１４を除いて、実施の形態１における設備機器１１０と同様に構成されている。
【０１０９】
第１の機器通信部３１２Ａは、第１の通信方式を用いて、携帯端末３３０と無線で通信を行う。例えば、第１の機器通信部３１２Ａは、ＮＦＣを用いた近距離無線で通信を行えばよい。
【０１１０】
第２の機器通信部３１２Ｂは、第２の通信方式を用いて、携帯端末３３０と無線で通信を行う。例えば、第２の機器通信部３１２Ｂは、ＢＬＥを用いた近距離無線で通信を行えばよい。
【０１１１】
制御部３１４は、設備機器３１０での処理を制御する。
例えば、制御部３１４は、携帯端末３３０からの要求に応じて、記憶部１１１に記憶されている機器種別情報１０及び機器ＩＤ１１を、第１の機器通信部３１２Ａを介して、携帯端末２３０に送る。
また、制御部３１４は、第２の機器通信部３１２Ｂを介して携帯端末３３０から操作許可情報が送られてきた後に、第２の機器通信部３１２Ｂを介して携帯端末３３０からコマンドが送られてきた場合には、そのコマンドに従って、機器本体１１３を制御する。ここで、制御部３１４は、操作許可情報の送信元と、コマンドの送信元とが同じ場合に、そのコマンドに従って、機器本体１１３を制御する。
さらに、制御部３１４は、携帯端末３３０からの要求に応じて、機器運転状態情報を、第２の機器通信部３１２Ｂを介して、携帯端末３３０に送る。
【０１１２】
図１５は、実施の形態３における携帯端末３３０の構成を概略的に示すブロック図である。
携帯端末３３０は、記憶部１３１と、第１の端末通信部３３２Ａと、第２の端末通信部３３２Ｂと、端末広域通信部１３３と、表示部１３４と、入力部１３５と、制御部３３６とを備える。
実施の形態３における携帯端末３３０は、第１の端末通信部３３２Ａ、第２の端末通信部３３２Ｂ及び制御部３３６を除いて、実施の形態１における携帯端末１３０と同様に構成されている。
なお、実施の形態３においては、端末広域通信部１３３を第３の端末通信部ともいう。
【０１１３】
第１の端末通信部３３２Ａは、第１の通信方式を用いて、設備機器３１０と無線で通信を行う。例えば、端末通信部１３２は、ＮＦＣを用いた近距離無線で通信を行えばよい。
第２の端末通信部３３２Ｂは、第２の通信方式を用いて、設備機器３１０と無線で通信を行う。例えば、端末通信部１３２は、ＢＬＥを用いた近距離無線で通信を行えばよい。
【０１１４】
制御部３３６は、携帯端末３３０での処理を制御する。
制御部３３６は、設備登録部３３７と、設備操作部３３８と、位置検出部１３９と、情報管理部１４０とを備える。
実施の形態３における制御部３３６は、設備登録部３３７及び設備操作部３３８を除いて、実施の形態１と同様に構成されている。
【０１１５】
設備登録部３３７は、第１の端末通信部３３２Ａを介して設備機器３１０と接続して、設備機器３１０から機器種別情報１０及び機器ＩＤ１１を取得して、機器種別情報２１及び機器ＩＤ２２として、記憶部１３１に記憶させる。
【０１１６】
設備操作部３３８は、第２の端末通信部３３２Ｂを介して、操作許可情報４２及びコマンドを設備機器３１０に送信することで、設備機器３１０を操作する。
【０１１７】
以上のように、実施の形態３によれば、例えば、設備機器３１０を登録する際の通信方式としては、ＮＦＣ通信に代表される１０ｃｍ程度の通信が可能な近距離無線が使用され、設備機器３１０を操作する際の通信方式としては、ＢＬＥ通信に代表されるある程度離れた位置からの通信が使用され、設備機器３１０の設置位置を正確に把握することができるとともに、ユーザの利便性を向上することができる。
【０１１８】
実施の形態４．
図１６は、実施の形態４に係る通信システムとしての設備操作システム４００の構成を概略的に示すブロック図である。
設備操作システム４００は、設備機器１１０と、携帯端末４３０と、サーバ４５０と、赤外線機器４７０とを備える。
実施の形態４に係る設備操作システム４００の設備機器１１０は、実施の形態１と同様に構成されている。
【０１１９】
赤外線機器４７０は、予め定められた規格に従って、赤外線を用いた通信で操作を行うことのできる設備機器である。赤外線機器４７０は、従来から使用されている設備機器であるため、詳細な説明は省略する。
【０１２０】
図１７は、実施の形態４における携帯端末４３０の構成を概略的に示すブロック図である。
携帯端末４３０は、記憶部１３１と、端末通信部１３２と、端末広域通信部１３３と、表示部１３４と、入力部１３５と、制御部４３６と、赤外線通信部４４１とを備える。
実施の形態４における携帯端末４３０は、制御部４３６及び赤外線通信部４４１を除いて、実施の形態１における携帯端末１３０と同様に構成されている。
実施の形態４では、端末通信部１３２を第１の端末通信部ともいい、端末広域通信部１３３を第２の端末通信部ともいう。
【０１２１】
赤外線通信部４４１は、赤外線を用いて、赤外線機器４７０と通信を行う。例えば、赤外線通信部４４１は、赤外線を用いて、赤外線機器４７０にコマンドを送る。赤外線通信部４４１と赤外線機器４７０との間の通信は、既存の規格に従えばよいため、詳細な説明は省略する。
【０１２２】
制御部４３６は、携帯端末４３０での処理を制御する。
制御部４３６は、設備登録部４３７と、設備操作部１３８と、位置検出部１３９と、情報管理部１４０と、赤外線機器操作部４４２とを備える。
実施の形態４における制御部４３６は、設備登録部４３７及び赤外線機器操作部４４２を除いて、実施の形態１における制御部１３６と同様に構成されている。
【０１２３】
設備登録部４３７は、実施の形態１における設備登録部１３７と同様の処理を行うほか、以下の処理を行う。
設備登録部４３７は、入力部１３５が、赤外線機器４７０のメーカ及び種別、又は、赤外線機器４７０の型番等、赤外線機器４７０を特定するための赤外線機器特定情報の入力を受け付けた際に、位置検出部１３９が検出した位置を示す赤外線機器設置位置情報を、赤外線機器特定情報とともに、端末広域通信部１３３を介して、サーバ４５０に送信する。なお、後述するように、サーバ４５０にこれらの情報を送信する前に、ユーザがサーバ４５０にログインしているため、これらの情報は、携帯端末４３０のユーザのログイン情報に対応付けることができる。また、赤外線機器特定情報は、赤外線機器４７０へのコマンドを赤外線で送信するフォーマットを特定できればよい。
【０１２４】
赤外線機器操作部４４２は、入力部１３５で入力された操作内容に従って、赤外線通信部４４１を介して、入力部１３５で入力された赤外線機器特定情報で特定される赤外線機器４７０に対応するコマンドを赤外線機器４７０に送る。
【０１２５】
図５に示されているように、実施の形態４におけるサーバ４５０は、記憶部１５１と、サーバ広域通信部１５２と、制御部４５３とを備える。
実施の形態４におけるサーバ４５０は、制御部４５３を除いて、実施の形態１におけるサーバ１５０と同様に構成されている。
【０１２６】
制御部４５３は、サーバ４５０での処理を制御する。
制御部４５３は、ユーザ情報管理部４５４と、施設情報管理部１５５と、サービス配信部１５６とを備える。
実施の形態４における制御部４５３は、ユーザ情報管理部４５４を除いて、実施の形態１と同様に構成されている。
【０１２７】
ユーザ情報管理部４５４は、実施の形態１と同様の処理を行うほか、以下の処理を行う。
ユーザ情報管理部４５４は、サーバ広域通信部１５２を介して、携帯端末４３０から赤外線機器設置位置情報及び赤外線機器特定情報を取得する。次に、ユーザ情報管理部４５４は、記憶部１５１に記憶されている施設位置情報６１を参照することで、赤外線機器設置位置情報で示される位置に対応する宿泊施設を特定する。そして、ユーザ情報管理部４５４は、特定された宿泊施設を示す情報、現在の日付を示す情報及び赤外線機器特定情報を、ログイン時に特定されたログイン情報に対応付けられている宿泊履歴情報５２に格納する。
【０１２８】
図１８は、携帯端末４３０から赤外線機器４７０の登録を行う処理を示すフローチャートである。
【０１２９】
携帯端末４３０は、入力部１３５を介して、ユーザから予めインストールされた赤外線機器登録用のアプリケーションの起動指示を受けると、その専用アプリケーションを起動する（Ｓ４０）。赤外線機器登録用のアプリケーションの起動により、携帯端末４３０では、設備登録部４３７、位置検出部１３９及び赤外線機器操作部４４２による処理が開始される。
【０１３０】
設備登録部４３７は、端末広域通信部１３３を介して、サーバ４５０に接続し、ユーザのログインを行う（Ｓ４１）。例えば、設備登録部４３７は、サーバ４５０に接続すると、サーバ４５０からログイン画面を示すログイン画面画像データを取得する。そして、設備登録部４３７は、ログイン画面画像データに基づいて、ログイン画面を表示部１３４に表示して、入力部１３５を介して、ユーザからログイン情報（ユーザ名及びパスワード）の入力を受け付ける。そして、設備登録部４３７は、入力されたログイン情報を、端末広域通信部１３３を介して、サーバ４５０に送る。サーバ４５０は、サーバ広域通信部１５２を介して受信したログイン情報を、記憶部１５１に記憶されているログイン情報５１と比較することで、ログインの成否を判断する。ここでは、ログインが成功したものとして説明を続ける。なお、ログインに失敗した場合には、図１８に示されているフローは終了する。この場合、ユーザは、ステップＳ４０から処理をやり直せばよい。
【０１３１】
ログインに成功すると、設備登録部４３７は、赤外線機器特定情報の入力を受け付けるための画面画像である赤外線機器特定情報入力画面画像を表示部１３４に表示させ、入力部１３５を介して、ユーザから、赤外線機器特定情報の入力を受け付ける（Ｓ４２）。
【０１３２】
次に、位置検出部１３９が、現在の位置情報を、携帯端末４３０に備えられている図示しないＧＰＳ受信機から取得する。そして、設備登録部４３７は、位置検出部１３９が取得した位置情報を赤外線機器設置位置情報として、赤外線機器特定情報とともに、端末広域通信部１３３を介してサーバ４５０に送信する（Ｓ４３）。
【０１３３】
次に、サーバ４５０は、サーバ広域通信部１５２を介して、携帯端末４３０から赤外線機器設置位置情報及び赤外線機器特定情報を受信する。サーバ４５０のユーザ情報管理部４５４は、記憶部１５１に記憶されている施設登録情報６０内の施設位置情報６１を参照することで、受信された赤外線機器設置位置情報で示される位置に対応する宿泊施設を特定し、赤外線機器特定情報とともに、宿泊情報としてステップＳ４１でログインしたユーザの宿泊履歴情報５２に格納する（Ｓ４４）。
【０１３４】
以上の手順にて、ユーザは、携帯端末４３０を介して、赤外線機器４７０に関する情報をネットワーク１０１に接続されたサーバ４５０に登録することができる。
これにより、携帯端末４３０が無線通信で操作することのできる設備機器１１０の操作登録を行った場合だけでなく、一般的な赤外線を用いた赤外線機器４７０の操作を行うことができるように登録した場合にも、宿泊情報が宿泊履歴情報５２に格納される。
【０１３５】
なお、本発明は、上述の実施の形態および図面によって限定されるものではない。本発明の要旨を変更しない範囲で実施の形態及び図面に変更を加えることができるのはもちろんである。
【符号の説明】
【０１３６】
１００，２００，３００，４００  設備操作システム、  １０１  ネットワーク、  １１０，２１０，３１０  設備機器、  １１１  記憶部、  １１２，２１２，３１２  機器通信部、  １１３  機器本体、  １１４，２１４，３１４  制御部、  １３０，２３０，３３０，４３０  携帯端末、  １３１  記憶部、  １３２，２３２，３３２  端末通信部、  １３３  端末広域通信部、  １３４  表示部、  １３５  入力部、  １３６，２３６，３３６，４３６  制御部、  １３７，２３７，３３７，４３７  設備登録部、  １３８，２３８，３３８  設備操作部、  １３９  位置検出部、  １４０  情報管理部、  ４４１  赤外線通信部、  ４４２  赤外線機器操作部、  １５０，４５０  サーバ、  １５１  記憶部、  １５２  サーバ広域通信部、  １５３，４５３  制御部、  １５４，４５４  ユーザ情報管理部、  １５５  施設情報管理部、  １５６  サービス配信部、  ２６０  操作端末、  ２６１  記憶部、  ２６２  操作端末通信部、  ２６３  制御用通信部、  ２６４  制御部、  ４７０  赤外線機器。
【図１】
0006765535.tif 000002
【図２】
0006765535.tif 000003
【図３】
0006765535.tif 000004
【図４】
0006765535.tif 000005
【図５】
0006765535.tif 000006
【図６】
0006765535.tif 000007
【図７】
0006765535.tif 000008
【図８】
0006765535.tif 000009
【図９】
0006765535.tif 000010
【図１０】
0006765535.tif 000011
【図１１】
0006765535.tif 000012
【図１２】
0006765535.tif 000013
【図１３】
0006765535.tif 000014
【図１４】
0006765535.tif 000015
【図１５】
0006765535.tif 000016
【図１６】
0006765535.tif 000017
【図１７】
0006765535.tif 000018
【図１８】
0006765535.tif 000019